(57)【特許請求の範囲】
【請求項１】
幅方向の両側部に長手方向に延びる一対の防漏カフが配置されているとともに、吸収体の肌当接面側に液透過性の表面シートが配置された吸収性物品であって、
前記防漏カフは、その長手方向に沿う両端部域が内向きに倒伏された状態で前記表面シートに接合されて、着用者の身体に向けた起立性向を有し、
前記表面シートは、前記吸収体と重なる領域において該吸収体と接合されているとともに、該吸収体の両側縁を越えて幅方向に張り出し且つ該吸収体と非接合状態になっている張り出し部位を有し、
前記張り出し部位は、着用者の身体に向けて突出した複数の凸部と該凸部間に位置する凹部とで構成される凹凸構造を有し、
前記張り出し部位は、着用者の身体側に向けて折り返されて、起立した前記防漏カフに沿うように該防漏カフの内面に非接合状態で当接している吸収性物品。
【請求項２】
前記凸部及び前記凹部が長手方向に沿って延びており、それによって前記張り出し部位は畝溝構造を有している請求項１に記載の吸収性物品。
【請求項３】
前記防漏カフが、裏面シートと前記吸収体との間の位置であって且つ該吸収体の側縁の位置又は該側縁よりも幅方向の内方寄りの位置を基端部として起立するようになっている請求項１又は２に記載の吸収性物品。
【請求項４】
前記張り出し部位の幅方向への張り出し幅をＥとし、前記防漏カフの基端部と自由端部との間の距離をＤとし、前記吸収体の厚みをＴとしたとき、Ｔ＜Ｅ＜Ｄ−Ｔの関係が成立するようにした請求項１ないし３のいずれか一項に記載の吸収性物品。
【請求項５】
前記凹凸構造が、前記吸収体の長手方向の全域にわたって前記張り出し部位に形成されている請求項１ないし４のいずれか一項に記載の吸収性物品。
【請求項６】
前記張り出し部位における非肌当接面側が平坦になっている請求項１ないし５のいずれか一項に記載の吸収性物品。
【発明の詳細な説明】
【技術分野】
【０００１】
本発明は、使い捨ておむつ等の吸収性物品に関する。
【背景技術】
【０００２】
軟便は尿と比較して粘性が高いので、そのことに起因して尿に比べて吸収体に取り込まれるのに時間を要する。その結果、吸収体に完全に吸収される前に、軟便が表面シート上を伝って流れ、横漏れが起こることがある。吸収性物品の両側部には、横漏れ防止のための防漏カフが配置されていることが多いが、防漏カフにまで達した軟便は、防漏カフと吸収体との隙間に入り込み、防漏カフからしみ出す場合がある。
【０００３】
排泄物が表面シート上を伝って流れ出すことを防止することを目的として、特許文献１には、吸収性物品の液透過性シートにおいて、芯材に対向する面の反対側である非対向面を液透過性の被覆シートによって覆う技術が提案されている。被覆シートは、前後方向へ平行して延びる複数条の山部と谷部とを有するものである。被覆シートは股下域において、裏面が液透過性シートの非対向面に接合している幅方向の中央域と、該中央域の両側それぞれの外側にあって裏面が前記非対向面に対して非接合状態にある側域とを有している。そして前記側域は、少なくとも一条の前記谷部と、該谷部よりも横方向の外側に位置する少なくとも一条の前記山部とを含んでいて、液透過性シートの厚さ方向において前記非対向面から離間することが可能になっている。この吸収性物品によれば、側域がその下方にある液透過性シートの非対向面に対して離間可能であるから、該側域では芯材から肌への体液の逆流が抑えられ、逆流した体液によって肌を濡らすことが少なくなる、と同文献には記載されている。
【０００４】
特許文献２には、複数の凹部と複数の凸部を有するトップシートを備えた吸収性物品が記載されている。複数の凹部は、トップシートと該トップシートの下層に位置する下層シートとが接合された接合領域において、該トップシートの厚みが相対的に小さくなることにより形成されたものである。複数の凸部は、トップシートと下層シートとの非接合領域において、該トップシートの厚みが相対的に大きくなることにより形成されたものである。
【先行技術文献】
【特許文献】
【０００５】
【特許文献１】特開２０１０−１１９４６０号公報
【特許文献２】特開２０１３−１６９３８８号公報
【発明の概要】
【発明が解決しようとする課題】
【０００６】
しかし、特許文献１及び２に記載の技術では、軟便等の排泄物が防漏カフにまで達したときに、該排泄物が防漏カフを通じてしみ出してしまうことを防止することは容易でない。
【０００７】
したがって本発明の課題は吸収性物品の改良にあり、更に詳細には、防漏カフを通じての排泄物のしみ出しを防止し得る吸収性物品を提供することにある。
【課題を解決するための手段】
【０００８】
本発明は、幅方向の両側部に長手方向に延びる一対の防漏カフが配置されているとともに、吸収体の肌当接面側に液透過性の表面シートが配置された吸収性物品であって、
前記防漏カフは、その長手方向に沿う両端部域が内向きに倒伏された状態で前記表面シートに接合されて、着用者の身体に向けた起立性向を有し、
前記表面シートは、前記吸収体と重なる領域において該吸収体と接合されているとともに、該吸収体の両側縁を越えて幅方向に張り出し且つ該吸収体と非接合状態になっている張り出し部位を有し、
前記張り出し部位は、着用者の身体に向けて突出した複数の凸部と該凸部間に位置する凹部とで構成される凹凸構造を有し、
前記張り出し部位は、着用者の身体側に向けて折り返されて、起立した前記防漏カフに沿うように該防漏カフの内面に非接合状態で当接している吸収性物品を提供するものである。
【発明の効果】
【０００９】
本発明によれば、防漏カフを通じての排泄物のしみ出しが効果的に防止された吸収性物品が提供される。
【図面の簡単な説明】
【００１０】
【図１】図１は、本発明の吸収性物品の一実施形態としてのパンツ型使い捨ておむつの使用状態を示す斜視図である。
【図２】図２は、図１に示すパンツ型使い捨ておむつの展開且つ伸長状態を示す一部破断平面図である。展開且つ伸長状態とは、パンツ型使い捨ておむつの両側部に存する接合部（サイドシール部）を引き剥がして、おむつを展開状態とし、その展開状態のおむつを、各部の弾性部材を伸長させて、設計寸法（弾性部材の影響を一切排除した状態で平面状に広げたときの寸法と同じ）となるまで広げた状態をいう。
【図３】図３は、図２に示すおむつの股下部におけるIII−III線断面図である。
【図４】図４は、図２におけるIV−IV線断面図である。
【図５】図５は、張り出し部位を拡大して示す斜視図である。
【図６】図６は、図３に示す断面図の要部拡大図である。
【図７】図７（ａ）及び（ｂ）は、防漏カフの起立とともに、張り出し部位が折り返される状態を示す、おむつ幅方向の断面図である。
【図８】図８（ａ）及び（ｂ）は、防漏カフは起立するが、張り出し部位が折り返されない状態を示す、おむつ幅方向の断面図である。
【図９】図９（ａ）は、張り出し部位の別の実施形態を示す斜視図であり、図９（ｂ）は、図９（ａ）における厚み方向断面図である。
【発明を実施するための形態】
【００１１】
以下本発明を、その好ましい実施形態に基づき図面を参照しながら説明する。本発明の一実施形態であるパンツ型使い捨ておむつ１（以下、おむつ１ともいう）は、図１及び図２に示すとおり、着用者の腹側に配される矩形状の腹側シート部材２Ａと、着用者の背側に配される矩形状の背側シート部材２Ｂと、腹側シート部材２Ａ及び背側シート部材２Ｂに架け渡して固定された吸収性本体３とを具備している。そして、腹側シート部材２Ａの及び背側シート部材２Ｂそれぞれの上端縁２Ａｅ，２Ｂｅの位置、及び下端縁２Ａｆ，２Ｂｆの位置を一致させて、腹側シート部材２Ａの両側縁部２ａ，２ａと背側シート部材２Ｂの両側縁部２ｂ，２ｂとが接合されて、一対のサイドシール部４，４が形成されている。
【００１２】
おむつ１は、図１及び図２に示すとおり、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ１の長手方向（物品長手方向）は、腹側部Ａから股下部Ｃを経て背側部Ｂにわたる方向又はその逆方向（図２中Ｘ方向）であり、おむつ１の幅方向（物品幅方向）は、着用者の胴回り方向に沿う方向であり、物品長手方向と交差する方向（図２中Ｙ方向）である。
【００１３】
腹側シート部材２Ａは、おむつ１の展開且つ伸長状態（図２参照）において、幅方向Ｙに沿って長い横長の長方形状をなしている。背側シート部材２Ｂも、同様に、おむつ１の展開且つ伸長状態（図２参照）において、横長の長方形状をなしている。腹側シート部材２Ａと背側シート部材２Ｂは、図２に示すとおり、長手方向Ｘの長さが、幅方向Ｙにおいて均一である。
【００１４】
そして、腹側シート部材２Ａの側縁部２ａと、背側シート部材２Ｂの側縁部２ｂとが上述した一対のサイドシール部４，４において接合されて、筒状の胴回り部が形成されている。この接合には、例えばヒートシール、高周波シール、超音波シール、接着剤等の公知の接合手段が用いられる。また、この接合によって、サイドシール部４，４とともに、ウエスト開口部５及び一対のレッグ開口部６，６が形成される。
【００１５】
おむつ１の吸収性本体３は、図２及び図３に示すとおり、液透過性の表面シート３１、液不透過性又は撥水性の裏面シート３２、及び両シート３１、３２間に介在配置された液保持性の吸収体３３を有しており、長手方向Ｘに長い長方形状に形成されている。表面シート３１は、吸収体３３の肌当接面側に配置されている。裏面シート３２は、吸収体３３の非肌当接面側に配置されている。吸収体３３は、パルプ繊維等の繊維の集合体（不織布であってもよい）からなる吸収性コア３３ａ又はこれに吸水性ポリマーの粒子を保持させてなる吸収性コア３３ａと、該吸収性コア３３ａを被覆するコアラップシート３３ｂからなる。吸収体３３も、長手方向Ｘに長い長方形状に形成されている。裏面シート３２、及び吸収体３３の吸収性コア３３ａやコアラップシート３３ｂとしては、それぞれ、この種の吸収性物品に従来用いられているものと同様のものを用いることができる。なお図示していないが、股下部Ｃにおける吸収性本体３の外側には、裏面シート３２に重ねて、不織布やフィルム等の外装シートを配することもできる。
【００１６】
おむつ１の幅方向Ｙの両側部の位置には、長手方向Ｘに延びる一対の防漏カフ３４，３４が配置されている。防漏カフ３４は、液抵抗性ないし撥水性で且つ通気性の素材から構成されている。各防漏カフ３４は、それぞれ長手方向に延びる基端部３４ａ及び自由端部３４ｂを有している。自由端部３４ｂの近傍には、防漏カフ弾性部材３５が伸長状態で配されている。おむつ１の着用中には、防漏カフ弾性部材３５が収縮することにより防漏カフ３４が着用者の身体に向けて起立し、吸収性本体３から幅方向外方への液の流出が阻止される。
【００１７】
図３に示すとおり、防漏カフ３４は、裏面シート３２と吸収体３３との間の位置に基端部３４ａを有している。詳細には、防漏カフ３４を構成するシートのうち、基端部３４ａ寄りの部位が、裏面シート３２と吸収体３３との間に挟まれた状態で、これらが接着剤３８によって接合固定されている。また防漏カフ３４は、吸収体３３の側縁の位置又は該側縁よりも幅方向の内方寄りの位置に基端部３４ａを有している。その結果、吸収体３３と、防漏カフ３４との間には空間３９が形成可能になっている。この空間３９は、排泄物、例えば尿等の一時的な収容が可能になっている。
【００１８】
防漏カフ３４は、吸収性本体３の長手方向Ｘの全域にわたって配置されている。そして防漏カフ３４は、図４に示すとおり、その長手方向Ｘに沿う両端部域３４１が内向きに倒伏された状態で表面シート３１に接合されている。内向きに倒伏した防漏カフ３４は、該防漏カフ３４と対向する表面シート３１と接着剤４０によって接合されている。そして、防漏カフ３４は、両端部域３４１間において表面シート３１と非接合状態になっている。防漏カフ３４のうち、この非接合状態になっている部位の自由端部３４ｂには少なくとも上述した弾性部材３５が配されている。これらの構造によって、防漏カフ３４は、着用者の身体に向けた起立性向を有するものとなる。「内向きに倒伏」とは、吸収性本体３の幅方向Ｙの中央部側に向けて倒伏することを言う。
【００１９】
図３に示すとおり、吸収性本体３は、防漏カフ３４よりも幅方向Ｙの外方の位置であって且つ吸収体３３の長手方向Ｘの両側縁それぞれの外方の位置に、長手方向Ｘに延びるレッグカフ３６，３６を有している。レッグカフ３６の自由端には、長手方向Ｘに延びる弾性部材３７，３７が伸長状態で取り付けられている。レッグカフ３７は、おむつ１の着用状態において、着用者の脚周りにフィットするようになっている。レッグカフ３６は、裏面シート３２のうち、吸収体３３の各側縁から幅方向Ｙの外方に延出した部位によって形成されている。レッグカフ３６は裏面シート３２と一体をなしている。
【００２０】
吸収性本体３は、長手方向Ｘの一端側（背側シート部材２Ｂと重なっている部分）が、背側シート部材２Ｂの幅方向Ｙの中央領域に接着剤（図示せず）を介して固定されている。また、吸収性本体３は、長手方向Ｘの他端側（腹側シート部材２Ａと重なっている部分）が、腹側シート部材２Ａの幅方向Ｙの中央領域に接着剤（図示せず）を介して固定されている。
【００２１】
おむつ１における腹側シート部材２Ａ及び背側シート部材２Ｂはいずれも、図２に示すとおり、おむつの外面をなす外側シート２２と、外側シート２２の内面側に配された内側シート２３と、両シート２２，２３間に配された複数本の糸状の弾性部材２４とを備えている。弾性部材２４は、幅方向Ｙに沿って延びている。それによって、腹側シート部材２Ａ及び背側シート部材２Ｂは、幅方向Ｙに沿って伸縮性を発現している。
【００２２】
図５には、おむつ１における表面シート３１の要部拡大図が示されている。表面シート３１は、一方向に延びる筋状の凸条部４１及び凹条部４２が幅方向に交互に配された凹凸構造の上層不織布４３を有している。凸条部４１及び凹条部４２が延びる「一方向」は、おむつ１の長手方向Ｘと同方向である。また、表面シート３１は、上層不織布４３に隣接し且つ吸収体側に位置する下層不織布４４を有している。上層不織布４３は、凹条部４２において、隣接する下層不織布４４と接合部４５において接合されており、凸条部４１は上層不織布４３と下層不織布４４との間で中空構造を有している。
【００２３】
上層不織布４３は、その表裏両面の断面形状がともに厚み方向（Ｚ方向）の上方に向かって凸状をなす複数の凸条部４１と、隣り合う凸条部４１，４１どうしの間に位置する凹条部４２とを有している。凹条部４２は、表裏両面の断面形状がともに不織布４３の厚み方向（Ｚ方向）の下方に向かって凸状をなしている。そして、複数の凸条部４１は、それぞれ長手方向Ｘに連続して延びており、複数の凹条部４２も、上層不織布４３の長手方向Ｘに連続して延びる溝状をなしている。凸条部４１及び凹条部４２は、互いに平行であり、幅方向Ｙに交互に配されている。
【００２４】
凸条部４１の高さＨ（図５参照）は、本実施形態のおむつ１によって奏される後述の有利な効果が確実に奏されるようにするために、０．３ｍｍ以上であることが好ましく、０．５ｍｍ以上であることが更に好ましく、また５ｍｍ以下であることが好ましく、２ｍｍ以下であることが更に好ましい。具体的には、凸条部４１の高さＨは、０．３ｍｍ以上５ｍｍ以下であることが好ましく、０．５ｍｍ以上２ｍｍ以下であることが更に好ましい。凸条部４１の高さＨは、以下のようにして測定する。フェザー剃刀（品番ＦＡＳ−１０、フェザー安全剃刀（株）製）を用い、表面シート３１を厚み方向Ｚに沿って、凸条部４１が最も高くなる点を通るように切断する。表面シート３１の断面をキーエンス製デジタルマイクロスコープＶＨＸ−９００により約２０倍程度で拡大することで、高さＨを測定する。測定は３箇所行い、相加平均してその凸状部４１の高さＨとする。
【００２５】
凸条部４１及び凹条部４２からなる表面シート３１の凹凸構造は、おむつ１の幅方向Ｙに位置する部位である、後述の張り出し部位５０に少なくとも形成されていることが好ましい。また、この凹凸構造は、おむつ１の長手方向Ｘにおける中央域に少なくとも形成されていることも好ましい。更に凹凸構造は、吸収体３３の長手方向Ｘの全域にわたって張り出し部位５０に形成されていることが好ましい。特に該凹凸構造は、おむつ１の長手方向Ｘ及び幅方向Ｙの全域に形成されていることが好ましい。
【００２６】
上層不織布４３及び下層不織布４４は、例えばエアスルー不織布、スパンボンド不織布、スパンレース不織布、メルトブローン不織布、レジンボンド不織布、ヒートロール不織布、ニードルパンチ不織布などの種々の不織布から構成することができる。これらの不織布の任意の２種以上の積層体、例えばスパンボンド−メルトブローン（ＳＭ）不織布や、スパンボンド−メルトブローン−スパンボンド（ＳＭＳ）不織布などを用いることもできる。
【００２７】
図３に戻ると、表面シート３１は、その平面視において吸収体３３と重なる領域において、該吸収体３３の肌当接面と接合されている。両者の接合には、表面シート３１から吸収体３３への液の移行を阻害しないような方法が用いられる。そのような接合方法としては例えば、図３に示すとおり接着剤２０の間欠塗工などの方法が挙げられる。両者の接合領域は、表面シート３１と吸収体３３とが重なっている領域のうち、少なくとも幅方向Ｙの全域にわたることが好ましく、幅方向Ｙの全域及び長手方向Ｘの全域にわたることが更に好ましい。
【００２８】
図３に示すとおり、表面シート３１は、吸収体３３の両側縁を越えて幅方向に張り出している一対の張り出し部位５０を有している。張り出し部位５０は、おむつ１の平面視において長手方向Ｘに沿って延びる略矩形の領域である。なお以下の説明においては、張り出し部位５０との対比において、表面シート３１のうち、吸収体３３の両側縁間に位置する部位を「中央部位５１」という。張り出し部位５０は、少なくとも、おむつ１の股下部Ｃに設けられており、好ましくは股下部Ｃに加えて腹側部Ａ及び背側部Ｂの双方にも設けられている。張り出し部位５０の長手方向Ｘに沿う長さは、吸収体３３の長手方向Ｘに沿う長さと同じであるか、又はそれよりも長いか若しくはそれよりも短い。
【００２９】
張り出し部位５０は、吸収体３３と非接合状態になっている。この場合、張り出し部位５０は、その全域が吸収体３３と非接合状態になっていてもよく、あるいはその一部が吸収体３３と非接合状態になっていてもよい。該防漏カフ３４の柔軟性、特に該防漏カフ３４の長手方向Ｘの柔軟性が阻害されにくいという観点から、張り出し部位５０はその全域が吸収体３３と非接合状態になっていることが好ましい。これに加えて、張り出し部位５０は、吸収体３３以外の部材とも非接合状態になっていることが好ましい。つまり張り出し部位５０は、おむつ１を構成するどのような部材に対しても非接合状態になっていることが好ましい。このことにより、着用時に着用者の動きに防漏カフ３４が追従する動きを妨げにくくなる。
【００３０】
張り出し部位５０は、中央部位５１と同様に、着用者の身体に向けて突出した複数の凸部と該凸部間に位置する凹部とで構成される凹凸構造を有している。詳細には、中央部位５１と同様に、図５に示すとおりの凸条部４１及び凹条部４２が、張り出し部位５０における肌当接面側に形成されている。凸条部４１及び凹条部４２は長手方向Ｘに沿って延びており、幅方向に交互に配されている。それによって張り出し部位５０は、その肌当接面側に畝溝構造を有している。張り出し部位５０に形成されている凸条部及び凹条部は、該張り出し部位５０の長手方向Ｘに沿う全域にわたって形成されている。特に、畝溝構造からなる凹凸構造は、吸収体３３の長手方向Ｘの全域にわたって張り出し部５０に形成されていることが好ましい。
【００３１】
張り出し部位５０に形成されている凸条部及び凹条部は、中央部位５１に形成されている凸条部及び凹条部４２と同じ形状をしており、且つ同じ寸法をしている。張り出し部位５０は、中央部位５１からの延長部分として形成されており、両部位は一体に連なっている。
【００３２】
張り出し部位５０は、その肌当接面側が凹凸構造となっていることと対照的に、非肌当接面側は平坦になっている。中央部位５１においても、非肌当接面側は平坦になっている。
【００３３】
図５に示す張り出し部位５０を含む表面シート３１は、互いに噛み合う一対の歯溝ロールに不織布原反を通して凹凸加工を施し、凹凸加工された不織布原反を、別の不織布原反と接合することで製造することができる。前記の歯溝ロールとしては、ロールの軸方向に沿って延びる凸部と凹部とが、ロールの回転方向に沿って交互に配置されたものを用いることができる。
【００３４】
図３に示すとおり、各張り出し部位５０は、着用者の身体側に向けて折り返されている。そして、折り返された状態の張り出し部５０は、起立した状態の防漏カフ３４に沿うように、該防漏カフ３４の内面に非接合状態で当接している。張り出し部位５０は、その非肌当接面側が、防漏カフ３４の内面に当接している。張り出し部位５０の非肌当接面は上述のとおり平坦面になっているので、張り出し部位５０は、防漏カフ３４の内面とほぼ隙間なく密接している。
【００３５】
以上の構成を有するおむつ１によれば、防漏カフ３４の基端部３４ａ付近の内面が張り出し部位５０によって覆われているので、排泄物、特に軟便が防漏カフ３４と吸収体３３とによって画成される空間３９内に意図せず入り込んでしまうことが効果的に防止され、それによって、該空間３９を画成する部材である防漏カフ３４を通じての排泄物のしみ出しが効果的に防止される。また表面シート３１の上を伝って流れ出た排泄物が、着用者の身体側に向けて折り返された状態の張り出し部位５０にまで到達すると、該張り出し部位５０によって排泄物中の水分、例えば軟便中の水分が、該張り出し部位５０によって濾しとられる。この場合、該張り出し部位５０や表面シート３１と、吸収体３３の側部とが接合されていないため、水分は吸収体３３の側部から吸収体３３中へ吸収される。水分が濾しとられた軟便等の排泄物は、粘度が上昇することに起因して表面シート３１上で移動しづらくなり、それによって横漏れが確実に防止される。特に、張り出し部位５０の肌当接面側に凹凸構造が形成されていることが起因して、該肌当接面側での表面積が増加し、それによって排泄物からの水分の濾過性が向上する。更に、張り出し部位５０が、着用者の身体側に向けて折り返されて、起立した前記防漏カフに沿うように該防漏カフ３４の内面に非接合状態で当接していることに起因して、着用者の動きなどによって防漏カフ３４の起立状態が変化する場合であっても、張り出し部位５０は防漏カフ３４の内面との当接位置がずれるだけであり、適切に防漏カフ３４の内面に当接することができるので、空間３９の形状が維持されやすい。その結果、排泄物のしみ出しが効果的に抑制される。
【００３６】
しかも、張り出し部位５０は、防漏カフ３４の内面と非接合状態になっているので、該防漏カフ３４の柔軟性、特に該防漏カフ３４の長手方向Ｘの柔軟性が阻害されにくいという利点もある。その上、張り出し部位５０が凹凸構造を有していることで、該張り出し部位が平坦な構造である場合に比べて剛性が高くなり、そのことに起因して、おむつ１の装着状態において張り出し部位５０によれが発生しづらくなる。
【００３７】
更に、表面シート３１の中央部位５１及び張り出し部位５０のいずれもが、おむつ１の長手方向Ｘに沿って延びる畝溝構造を有しているので、排泄物が該畝溝構造に案内されて、おむつ１の長手方向Ｘの端部側に向けて拡散されやすくなる。そのことによって、おむつ１の横漏れや、防漏カフ３４を通じての排泄物のしみ出しが効果的に防止される。
【００３８】
また、図４に示すとおり、防漏カフ３４の長手方向Ｘの両端部域３４１は、内向きに倒伏されて表面シート３１と接合されているので、張り出し部位５０に沿って該端部域３４１に流れてきた排泄物は、該端部域３４１において流れる方向が幅方向Ｙの内方に変化する。これによっても、横漏れが効果的に防止される。防漏カフ３４の両端部域３４１が内向きに倒伏されていることは、該防漏カフ３４の内面と張り出し部位５０の非肌当接面との密着性の向上に寄与し、ひいては張り出し部位５０が防漏カフ３４に沿いやすくなることに寄与する。同様の効果は、防漏カフ３４が、吸収体３３の側縁の位置又は該側縁よりも幅方向Ｙの内方寄りの位置を基端部３４ａとして起立するようになっていることによって、一層顕著なものとなる。
【００３９】
更に、上述のとおり、張り出し部位５０の非肌当接面は平坦面になっているので、該非肌当接面と防漏カフ３４の内面との摩擦力を小さくすることができる。そのことに起因して、防漏カフ３４が着用者の身体に向けて起立したときに、張り出し部位５０が、防漏カフ３４の起立に追従して着用者の身体側に折り返されやすくなる。
【００４０】
図６には、図３に示すおむつ１の幅方向Ｙに沿う厚み方向断面の要部拡大図が示されている。同図に示すとおり、張り出し部位５０の幅方向Ｙへの張り出し幅をＥと定義する。また、防漏カフ３４の基端部３４ａと自由端部３４ｂとの間の距離、すなわち防漏カフ３４の高さをＤと定義し、吸収体３３の厚みをＴと定義する。このとき、これら三者の間にはＴ＜Ｅ＜Ｄ−Ｔの関係が成立することが好ましい。このように各寸法を調整することで、防漏カフ３４が起立したときに、張り出し部位５０の非肌当接面が、防漏カフ３４の内面に沿うように首尾よく折り返されるようになる。このことを、図７（ａ）及び（ｂ）を参照しながら説明する。
【００４１】
図７（ａ）は、寸法Ｅ、Ｄ及びＴの間に上述の関係が成立するおむつ１の製造途中での状態を示す幅方向断面図である。同図に示す状態は、防漏カフ３４の両端部域（図示せず）を表面シート３１側に向けて倒伏・固定させる前の状態を示している。この状態においては、防漏カフ３４は、幅方向Ｙの外方寄りに自由端部３４ｂを有する平坦な状態になって、レッグカフ３６上に位置している。また、表面シート３１の張り出し部位５０は、吸収体３３の側縁から幅方向Ｙの外方に延出して、防漏カフ３４上に該防漏カフ３４と非接合状態で位置している。
【００４２】
図７（ａ）に示す状態から製造工程が進行して、防漏カフ３４の両端部域（図示せず）を表面シート３１側に向けて倒伏・固定させる工程が完了すると、図７（ｂ）に示すとおり防漏カフ３４には着用者の身体に向けて起立性向が付与されて、レッグカフ３６から離間して起立する。防漏カフ３４の起立に起因して、該防漏カフ３４上に位置していた張り出し部位５０は、該防漏カフ３４の起立に追従して着用者の身体側に向けて首尾よく折り返される。
【００４３】
これに対して、図８（ａ）に示すとおり、張り出し部位５０の幅方向Ｙへの張り出し幅Ｅが、吸収体３３の厚みＴと同じかそれよりも小さい場合には、防漏カフ３４に起立性向が付与されて、該防漏カフ３４が着用者の身体に向けて起立した場合であっても、その起立に張り出し部位５０が追従しにくくなり、図８（ｂ）に示すとおり、張り出し部位５０は、吸収体３３の側部において垂下した状態となり、起立した防漏カフ３４と、吸収体３３の側部との間に位置しやすくなってしまう。
【００４４】
また張り出し部位５０の幅方向Ｙへの張り出し幅Ｅが、防漏カフ３４の高さＤから吸収体３３の厚みＴを差し引いた値と同じか、又はそれよりも大きい場合には、防漏カフ３４が起立したときに、それに追従して張り出し部位５０も着用者の身体側に向けて折り返されるものの、張り出し幅Ｅが長くなりすぎることに起因して、張り出し部位５０の自重でよれが生じやすくなる。
【００４５】
図９（ａ）及び図９（ｂ）には、張り出し部位５０の別の実施形態が示されている。これらの図に示す張り出し部位５０は、互いに積層された上層不織布６１及び下層不織布６２を有している。上層不織布６１と下層不織布６２とは直接に接しており、両不織布６１，６２間に他の層は介在していない。上層不織布６１は、第１面６１ａ及びそれに対向する第２面６１ｂを有する。下層不織布６２は、第１面６２ａ及びそれに対向する第２面６２ｂを有する。上層不織布６１と下層不織布６２とは、上層不織布第２面６１ｂと、下層不織布第１面６２ａとが対向するように積層されている。上層不織布第１面６１ａは、張り出し部位５０における肌当接面をなしている。一方、下層不織布第２面６２ｂは、張り出し部位５０における非肌当接面をなしている。
【００４６】
上層不織布６１と下層不織布６２とは部分的に熱融着によって接合されており、それにより多数の接合部６３が形成されている。上層不織布６１は、複数の接合部６３に囲まれた非接合部において下層不織布６２から離れる方向に突出して、凸部６４を多数形成している。隣り合う凸部６４の間は凹部６５となっている。凹部６５の底部は接合部６３を含んでいる。これによって、張り出し部位５０の肌当接面をなす上層不織布第１面６１ａ側には、凸部６４及び凹部６５からなる凹凸構造が形成されている。一方、張り出し部位５０の非肌当接面をなす下層不織布第２面６２ｂ側は平坦な状態になっている。
【００４７】
凸部６４は中空構造のものである。詳細には、凸部６４はその内部に、上層不織布６１の第２面６１ｂと下層不織布６２の第１面６２ａとで画成される中空の空間が形成されている。一方、凹部６５においては、上層不織布６１と下層不織布６２とが密接しており両層間に空間は実質的に存在していない。
【００４８】
凸部６４は千鳥格子状に配列されている。凹部６５も千鳥格子状に配列されている。各凸部６４の形状及び寸法は略同一になっている。各凹部６５についても同様である。張り出し部位５０の上層不織布６１側からの平面視において、凸部６４は略円形をしている。凸部６４は１つの頂部６４ａを、平面視して略円形の該凸部６４の略中央部に有している。このように、本実施形態においては、凸部６４は張り出し部位５０の肌当接面側において散点状に分散配置されている。
【００４９】
図９（ｂ）に示すとおり、凸部６４の頂部６４ａを通る厚み方向Ｚの断面を見たときに、凸部６４を構成する上層不織布６１の第１面６１ａ及び第２面６１ｂのいずれもが、下層不織布６２側から上層不織布６１側へ向けて突出した凸の曲線を描いている。この凸の曲線の形状は、頂部６４ａを通る厚み方向Ｚの任意の断面において同じ形状となっている。このように、凸部６４は略半球殻の形状をしている。
【００５０】
凸部６４の高さは、図５に示す張り出し部位５０における凸条部４１の高さＨと同様とすることができる。凸部６４の高さの定義及び高さの測定方法も、図５と同様とすることができる。
【００５１】
本実施形態の張り出し部位５０は、例えば特開２００４−１７４２３４号公報に記載の方法（特に段落〔００２１〕〜〔００２５〕に記載の方法）に準じて製造することができる。
【００５２】
以上の構成は、表面シート３１における張り出し部位５０に関するものであったが、同様の構成を表面シート３１における中央部位５１に適用してもよい。あるいは、中央部位５１は図５に示す構成とし、張り出し部位５０のみを図９（ａ）及び図９（ｂ）に示す構成としてもよい。
【００５３】
以上の構成を有する張り出し部位５０を有するおむつ１においても、先に述べた実施形態のおむつと同様の効果が奏される。
【００５４】
以上、本発明をその好ましい実施形態に基づき説明したが、本発明は前記実施形態に制限されない。例えば図３等に示す張り出し部位５０においては、凸条部４３の内部には空間があり、該凸条部４３は中空の構造となっていたが、これに代えて、凸条部４３の内部を繊維で満たした中実の構造となしてもよい。図９（ａ）及び（ｂ）に示す実施形態の凸部６４に関しても同様であり、該凸部６４を中空構造とすることに代えて、内部が繊維で満たされた中実構造となしてもよい。
【００５５】
また前記の各実施形態における張り出し部位５０は、２枚の不織布を積層して形成されていたが、これに代えて、凹凸構造を有する上層不織布のみを１枚用いて張り出し部５０を構成してもよい。この場合には、張り出し部位５０における肌当接面及び非肌当接面のいずれもが凹凸構造を有することになる。
【００５６】
また前記の各実施形態においては、張り出し部位５０だけでなく、表面シート３１における中央部位５１の肌当接面側にも凹凸構造が形成されていたが、該中央部位５１には凹凸構造を形成せず、平坦な状態となしてもよい。
【００５７】
前記の各実施形態は、本発明をパンツ型使い捨ておむつに適用した例であるが、本発明はこれ以外の吸収性物品、例えば展開型の使い捨ておむつや、ショーツ型の生理用ナプキンにも同様に適用できる。
【符号の説明】
【００５８】
１  パンツ型使い捨ておむつ（吸収性物品）
２Ａ  腹側シート部材
２Ｂ  背側シート部材
３  吸収性本体
３１  表面シート
３２  裏面シート
３３  吸収体
３４  防漏カフ
３４ａ  基端部
３４ｂ  自由端部
３４１  端部域
４１  凸条部
４２  凹条部
６４  凸部
６５  凹部
５０  張り出し部位
４  サイドシール部
５  ウエスト開口部
６  レッグ開口部
Ａ  腹側部
Ｂ  背側部
Ｃ  股下部
【図１】
0006396783.tif 000002
【図２】
0006396783.tif 000003
【図３】
0006396783.tif 000004
【図４】
0006396783.tif 000005
【図５】
0006396783.tif 000006
【図６】
0006396783.tif 000007
【図７】
0006396783.tif 000008
【図８】
0006396783.tif 000009
【図９】
0006396783.tif 000010